(57)【要約】  ボトル包装容器（１０）は、ボトルの首部（２２）に溝（４０）を含み、溝は溝幅より大きいまたは溝幅に等しい間隔だけボトル（１１）の肩部から長手方向に離間され、首部の上部（２２ａ）および下部（２２ｂ）は互いにほぼ等しい外側断面寸法を有してもよい。溝の上部周囲側壁は面取りされるが、下部周囲側壁は窪んだ状態にしてもよい。ボトルは、アダプタ（４８）と組み合わせて、アダプタがボトルに解放可能に接続された時にアダプタの最下縁が溝の上方域から長手方向に離間されるようにしてもよい。アダプタは、その内表面に、アダプタをボトルに解放可能に接続するために溝内に取り外し可能に係合される構造の戻り止め（１３１）を含んでもよい。クロージャ（３０）部材は、溝内に取り外し可能に係合される戻り止め（３３１）および封止部材のうちの一方を含んでもよい。
2013523551.tif 000002
【特許請求の範囲】
【請求項１】
上端および閉鎖下端を有する本体と、全体に本体の上端に配置される肩部と、肩部から上に伸びてボトルの開口最上部を画定する首部とを備えるボトルであり、首部は、内表面と、外表面と、首部の外表面にある溝であって、首部のほぼ全周囲にわたって周方向に伸びてボトルの肩部とボトルの開口最上部との間に長手方向に配置される溝とを有し、前記溝は上方域と下方域とを有し、上方域と下方域との間に所定の幅が広がり、溝の下方域は、溝幅より広いまたは溝幅と同じ間隔だけボトルの肩部から長手方向に離間されるボトルであって、首部は、溝の下方域からボトルの肩部に伸びる下部と、ボトルの開口最上部から溝の上方域に伸びる上部とを含み、首部の上部および下部はそれぞれ外側断面寸法を有し、上部の外側断面寸法は下部の外側断面寸法にほぼ等しいボトルと、
ボトルの開口最上部を閉鎖するために、解放可能にボトルの首部に接続可能なクロージャ部材と
を備えるボトル包装容器。
【請求項２】
溝の下方域が、約４．０ｍｍ〜約１０．０ｍｍの間隔だけボトルの肩部から長手方向に離間される、請求項１に記載のボトル包装容器。
【請求項３】
クロージャ部材およびボトルの首部が、クロージャ部材がボトルの首部にネジ接続される構造である、請求項１に記載のボトル包装容器。
【請求項４】
ボトルから内容物を送達する構造の送達アセンブリであって、アダプタおよびアダプタと組み合わされるチューブとを備え、アダプタはボトル包装容器のクロージャ部材がボトルから取り外された状態で供給チューブアセンブリをボトルに解放可能に接続するための送達アセンブリのクロージャ部材を画定し、送達アセンブリのアダプタは下縁を有し、アダプタの下縁は、アダプタがボトルに接続された時に、溝の上方域とボトルの最上部との間で前記上方域から長手方向に離間される送達アセンブリと組み合わせられる、請求項１に記載のボトル包装容器。
【請求項５】
アダプタの下縁が、アダプタがボトルに接続された時に、少なくとも約０．５ｍｍの間隔だけ溝の上方域から長手方向に離間される、請求項４に記載のボトル包装容器。
【請求項６】
クロージャ部材が、内表面に、ボトルの首部の溝に取り外し可能に係合される封止部材を含む、請求項１に記載のボトル包装容器。
【請求項７】
上端および閉鎖下端を有する本体と、全体に本体の上端に配置される肩部と、肩部から上に伸びてボトルの開口最上部を画定する首部とを備えるボトルであって、首部は、内表面と、外表面と、首部の外表面にある溝で、首部のほぼ全周囲にわたって周方向に伸びてボトルの肩部とボトルの開口最上部との間に長手方向に配置される溝とを有し、溝は、周囲底部と、対向する上部周囲側壁および下部周囲側壁とによって画定され、上部周囲側壁は首部の隣接する外表面から周囲底部に向かって面取りされ、下部周囲側壁は首部の隣接する外表面から周囲底部に向かって窪んでおり、下部周囲側壁は少なくとも約１．０ｍｍの間隔だけ肩部から上に長手方向に離間されるボトルと、
ボトルの開口最上部を閉鎖するために、解放可能にボトルの首部に接続可能なクロージャ部材と
を備えるボトル包装容器。
【請求項８】
溝の下方域が、約５．０ｍｍ〜約１０．０ｍｍの間隔だけボトルの肩部から長手方向に離間される、請求項７に記載のボトル包装容器。
【請求項９】
首部が、溝の下方域からボトルの肩部に伸びる下部と、ボトルの開口最上部から溝の上方域に伸びる上部とを含み、首部の上部および下部はそれぞれ外側断面寸法を有し、上部の外側断面寸法は下部の外側断面寸法にほぼ等しい、請求項７に記載のボトル包装容器。
【請求項１０】
クロージャ部材およびボトルの首部が、クロージャ部材がボトルの首部にネジ接続される構造である、請求項７に記載のボトル包装容器。
【請求項１１】
ボトルの内部から内容物を送達する構造の送達アセンブリであって、アダプタおよびアダプタと組み合わされるチューブとを備え、アダプタはボトル包装容器のクロージャ部材がボトルから取り外された状態で供給チューブアセンブリをボトルに解放可能に接続するための送達アセンブリのクロージャ部材を画定し、送達アセンブリのアダプタは下縁を有し、アダプタの下縁は、アダプタがボトルに接続された時に、溝の上方域とボトルの最上部との間で前記上方域から長手方向に離間される送達アセンブリと組み合わせられる、請求項７に記載のボトル包装容器。
【請求項１２】
アダプタの下縁が、アダプタがボトルに接続された時に、少なくとも約０．５ｍｍの間隔だけ溝の上方域から長手方向に離間される、請求項１１に記載のボトル包装容器。
【請求項１３】
クロージャ部材が、内表面に、ボトルの首部の溝に取り外し可能に係合される戻り止めを含む、請求項７に記載のボトル包装容器。
【請求項１４】
ボトルの首部にはネジ山がない、請求項１３に記載のボトル包装容器。
【請求項１５】
上端および閉鎖下端を有する本体と、全体に本体の上端に配置される肩部と、肩部から上に伸びてボトルの開口最上部を画定する首部とを備えるボトルであって、首部は、内表面と、外表面と、首部の外表面にある少なくとも１つのネジ山と、首部の外表面にある溝で、首部のほぼ全周囲にわたって周方向に伸び、ボトルの肩部と首部の外表面の少なくとも１つのネジ山との間に長手方向に配置される溝とを有するボトルと、
ボトルの開口最上部を閉鎖するために、ボトルの首部の外表面の前記少なくとも１つのネジ山に取り外し可能に螺着されるクロージャ部材であって、ボトルの首部の溝内に取り外し可能に係合される、戻り止めおよび封止部材の少なくとも一方を含むクロージャ部材と
を備えるボトル包装容器。
【発明の詳細な説明】
【技術分野】
【０００１】
本発明は、全般的には、流動性製品用のボトル包装容器および供給送達アセンブリと組み合わせて使用できるボトル包装容器に関する。
【背景技術】
【０００２】
自動食品加工充填装置は、迅速かつ効率的にボトルを滅菌して滅菌済みボトルに食品を充填するのに使用される。一般に、充填装置のコンベヤ要素がボトルを装置のステーション間の機械方向に移動させる。例えば、米国特許第６，７４８，９８３号明細書に、このようなボトリング装置が記載されている。このボトリング装置は、枠体と枠体上のエンドレスコンベヤ要素とを有し、枠体は、ボトルの首部に各々がぴったり合うように設計された座の列で形成された複数のホルダプレートを有する。各々のボトルは、ボトルが充填装置の機械方向に沿って送られるように、ホルダプレートで形成される座に係合させるために周囲リブまたはボトルの首部から半径方向外側に突出するリングを含む。
【先行技術文献】
【特許文献】
【０００３】
【特許文献１】米国特許第６，７４８，９８３号明細書
【発明の概要】
【発明が解決しようとする課題】
【０００４】
このリブまたは突出リングは、ある特定の状況では、障害物になる、または不都合を生じる可能性がある。多くのこのような状況の一例としては、栄養食品または医療用食品のように包装済み食品がその食品を必要とする人に経腸送達によって送達するのに使用される場合である。食品が詰められるボトルは、ボトルのクロージャ（ｃｌｏｓｕｒｅ）またはキャップと供給チューブまたは送達アセンブリとが交換可能である構造である。特に、ボトルは、一般に、ネジ式であり、送達アセンブリはボトルクロージャの代わりにボトルに螺着可能なアダプタを含む。食品がボトルから送達アセンブリのチューブを通ってこの食品が必要としている人に送達され得るように、チューブおよび他の送達アセンブリの部品がアダプタに適切に組み合わされる。
【０００５】
アダプタがボトルに螺着されると、アダプタの最下縁は次第に突出リングに近づく。アダプタと突出リングとの間の隙間が狭くなると、送達アセンブリをボトルにつなぐ介護士または他の人の指がアダプタと突出リングとの間に挟まれる可能性がある。他の例では、さらに突出リングがあることで、ボトルを保持バッグのようなボトルホルダに取り付けるのがより厄介になる可能性がある。この場合、ボトルの首部は、保持バッグの比較的小さい開口部を通して保持バッグに挿入される。
【課題を解決するための手段】
【０００６】
一態様では、ボトル包装容器は、一般に、ボトルとクロージャ部材とを備える。本体は、一般に、上端および閉鎖下端を有する本体と、全体に本体の上端に配置される肩部と、肩部から上に伸びてボトルの開口最上部を画定する首部とを備える。首部は、内表面と、外表面と、首部の外表面にある溝とを有する。溝は、首部のほぼ全周囲にわたって周方向に伸びて、ボトルの肩部とボトルの開口最上部との間に長手方向に配置される。溝は、上方域と下方域とを有し、上方域と下方域との間に所定の幅が広がる。溝の下方域は、溝幅より広いまたは溝幅と同じ間隔だけボトルの肩部から長手方向に離間される。首部は、溝の下方域からボトルの肩部に伸びる下部と、ボトルの開口最上部から溝の上方域に伸びる上部とを含む。首部の上部および下部はそれぞれ、外側断面寸法を有する。上部の外側断面寸法は、下部の外側断面寸法にほぼ等しい。クロージャ部材は、ボトルの開口最上部を閉鎖するために、解放可能にボトルの首部に接続できる。
【０００７】
別の態様では、ボトル包装容器は、一般に、ボトルとクロージャ部材とを備える。ボトルは、一般に、上端および閉鎖下端を有する本体と、全体に本体の上端に配置される肩部と、肩部から上に伸びてボトルの開口最上部を画定する首部とを備える。首部は、内表面と、外表面と、首部の外表面にある溝とを有する。溝は、首部のほぼ全周囲にわたって周方向に伸びて、ボトルの肩部とボトルの開口最上部との間に長手方向に配置される。溝は、周囲底部と、対向する上部周囲側壁および下部周囲側壁とによって画定される。上部周囲側壁は、首部の隣接する外表面から周囲底部に向かって面取りされる。下部周囲側壁は、首部の隣接する外表面から周囲底部に向かって窪んでいる。下部周囲側壁は、少なくとも約１．０ｍｍの間隔だけ肩部から上に長手方向に離間される。クロージャ部材は、ボトルの開口最上部を閉鎖するために、解放可能にボトルの首部に接続できる。
【０００８】
さらに別の態様では、流動性製品送達アセンブリは、一般に、ボトルとアダプタとを備える。ボトルは長手方向軸を有し、一般に、外表面と前記外表面にある溝とを有する首部を含み、溝は首部のほぼ全周囲にわたって周方向に伸びる。溝は、上方域と下方域とを有する。アダプタは、ボトルをチューブに流体連通するために、ネジ式接続によってボトルの首部に取り外し可能に接続される。アダプタは、溝の上方域から長手方向に離間された最下縁を含む。
【０００９】
別の態様では、流動性製品送達アセンブリは、一般に、ボトルとアダプタとを備える。ボトルは長手方向軸、および外表面と前記外表面にある溝とを有する首部を備え、溝は首部のほぼ全周囲にわたって周方向に伸びる。アダプタは、ボトルをチューブに流体連通するために、ボトルに解放可能に接続される構造である。アダプタは、その内表面に、アダプタをボトルに解放可能に接続するために溝内に取り外し可能に係合するように設計された戻り止めを含む。
【００１０】
さらに別の態様では、ボトル包装容器は、一般に、ボトルとクロージャ部材とを備える。ボトルは、一般に、上端および閉鎖下端を有する本体と、全体に本体の上端に配置される肩部と、肩部から上に伸びてボトルの開口最上部を画定する首部とを備える。首部は、内表面と、外表面と、外表面にある少なくとも１つのネジ山と、外表面にある溝とを有する。溝は、首部のほぼ全周囲にわたって周方向に伸びて、ボトルの肩部と首部の外表面の少なくとも１つのネジ山との間に長手方向に配置される。クロージャ部材は、ボトルの開口最上部を閉鎖するために、ボトルの首部の外表面の少なくとも１つのネジ山に取り外し可能に螺着される。クロージャ部材は、少なくとも１つの戻り止めと、ボトルの首部の溝に取り外し可能に収容される封止部材とを含む。
【図面の簡単な説明】
【００１１】
【図１】第１の実施形態のボトル包装容器の正面立面図である。
【図２】図１の線２−２に沿った部分断面図である。
【図３】図１のボトル包装容器のキャップおよび封止クロージャが取り外された状態の正面斜視図である。
【図４】図３のボトル包装容器の正面立面図である。
【図５】図４のボトル包装容器の部分拡大図である。
【図６】図３のボトル包装容器にチューブセットが接続された状態の部分正面立面図である。
【図７】ボトル包装容器とボトル包装容器に接続される図６のチューブセットの第１の実施形態のチューブアダプタとの長手方向断面図である。
【図８】ボトル包装容器の第１の実施形態のホルダの正面立面図である。
【図９】図６のボトル包装容器およびチューブセットと図８のホルダとを含む第１の実施形態の流動性製品送達アセンブリが高架支持体に掛けられた状態の正面立面図である。
【図１０】図６のボトル包装容器およびチューブセットと第２の実施形態のホルダとを含む第２の実施形態の流動性製品送達アセンブリが高架支持体に掛けられた状態の正面透視図である。
【図１１】第２の実施形態のボトル包装容器の部分長手方向断面図である。
【図１２】図１１のボトル包装容器と、そのボトル包装容器に接続された第２の実施形態のチューブアダプタとの部分長手方向断面図である。
【図１３】第３の実施形態のボトル包装容器の部分長手方向断面図である。
【図１４】第４の実施形態のボトル包装容器の部分長手方向断面図である。
【発明を実施するための形態】
【００１２】
複数の図面全体にわたって、対応する参照符号は対応する部品を示す。
【００１３】
図面、特に、図１から図５を参照すると、第１の実施形態のボトル包装は全体に符号１０で示されている。ボトル包装容器１０は、多量の流動性製品を保持して、消費者および／または使用者に流動性製品を送達する構造である。流動性製品は、成人または小児栄養用の栄養製品または医薬品を含んでもよい。例えば、脂肪、プロテイン、炭水化物、ミネラル、ビタミン、プロバイオテックス、プレバイオテックス、栄養素、消化または栄養吸収または健康改善を促進する化合物もしくは濃縮物、代謝を補助または代謝方法を変える完全もしくは補給栄養素、および他の栄養補助食品が挙げられるが、これらに限定されない。ボトル包装容器１０は、無菌性にしてもよいし、または最終段階で滅菌されてもよい。
【００１４】
ボトル包装容器１０は、広くは、全体に符号１１で示されたボトルと、ボトルに解放可能に接続されて、全体にボトルのクロージャを形成する全体に符号３０で示されたキャップとを備える。図３を参照すると、ボトル１１は、一般に、上端および閉鎖下端１６を有する本体２６と、全体に本体の上端に配置される肩部２４と、肩部から上に伸びて開口部１４を画定するボトルの最上部またはリップ部１２を画定する首部２２とを備える。ボトル１１は、ボトルの開口最上部１２と本体２６の閉鎖端部１６との間に伸びる長手方向軸Ｌを有する。一実施形態では、ボトル１１は、約１ｍｌ〜２０００ｍｌの適切な容積、より適切には約５０ｍｌ〜５００ｍｌの容積を有することができる。図示されている本体２６は、全体に、砂時計の形状であるが、別の適切な形状の本体にしてもよい。肩部２４は、首部から横方向外側および下方に伸びるが、代替形態として、下方に向かって次第に細くならずに首部２２から横方向外側に伸びて、本発明の範囲内にある形にしてもよい。一般に、ボトル包装容器１０は、本発明の範囲から逸脱せずに、他の形状およびサイズにしてもよい。
【００１５】
図１および図２を参照すると、首部２２は、キャップ３０をボトル１１に解放可能に接続するために、連続ネジ山のような１つまたは複数の雄ネジ２８を含む。雄ネジ２８は、左巻きまたは右巻きにすることができる。図示されているキャップ３０は、首部２２の雄ネジ２８と結合する１つまたは複数のネジ山３４を含む固定部品３２を備える。図２を参照すると、キャップ３０の外側スカート部またはシュラウド３５は、固定部品３２を囲み、キャップ３０がボトルに固定されると、ボトル１１の肩部２４まで伸びて当接する。アルミ箔シールのような封止クロージャ３６は、ボトルの初めの包装時に、ボトル１１のリップ部１２に固定されて開口部１４を覆う。封止クロージャ３６は、例えば、接着剤で、または熱融着によって、または他の適切な手段でリップ部１２に固定されてもよい。封止クロージャ３６は、ボトル１１内に包装された製品を使用できるように、適当に穴が開けられる、および／またはリップ部１２から取り外し可能である。いくつかの実施形態では、ボトル包装容器１０は、本発明の範囲から逸脱せずに、キャップ３０および／または封止クロージャ３６を省略してもよいと理解される。また、キャップ３０は、図示されている構造以外の構造で本発明の範囲内にある構造にしてもよいと理解される。
【００１６】
図４および図５に示されるように、ボトル１１の首部２２は、首部の外表面に形成される一般に４０と示される溝を有する。図示されている溝４０は、首部２２の全周囲にわたって周方向に適切に伸びる。図５を参照すると、溝４０は、少なくとも一部は、周囲底部４２と、対向する上部周囲側壁４４および下部周囲側壁４６とによって画定され、上部周囲側壁４４および下部周囲側壁４６はそれぞれ、底部と首部２２の外表面との間に伸びる。一実施形態の溝４０は、ボトル１１を加工充填ラインに沿って送ることができるように、自動ボトル充填機械の保持装置が溝に収まるようなサイズおよび形状である。例えば、このような保持装置（図示せず）の１つは、半円の切欠きを有する対向プレートを含む。ボトル１１がプレート間に配置されると、プレートは互いに向かって移動されて、プレートが溝４０内に入って係合して、ボトルをつかんで移動させる。ボトル１１を外すには、プレートは互いに離される。
【００１７】
図示されている実施形態では、首部２２の外表面は、首部の雄ネジ２８および溝４０は別にして考えると、長手方向軸Ｌに沿ってほぼ均一な断面寸法を有する。首部２２は、溝４０の下部周囲側壁４４（すなわち、溝の下方域）からボトル１１の肩部２４に伸びる下部２２ａ（図５）と、ボトルの開口最上部から溝の上部周囲側壁４６（すなわち、溝の上方域）に伸びる上部２２ｂ（図５）とを含む。首部２２の下部２２ａおよび上部２２ｂは、ほぼ等しい外側断面寸法を有する。図示されている実施形態では、例えば、下部２２ａおよび上部２２ｂの外径はほぼ等しい。首部２２の外表面の断面寸法は長手方向軸Ｌに沿って均一でなく、本発明の範囲内にある寸法にしてもよいと理解できる。
【００１８】
さらに図５を参照すると、溝４０の下部周囲側壁４６は、全体に弓状であり、さらに適切には、首部２２の外表面から周囲底部４２に向かって窪んでいる。下部周囲側壁４６が首部２２の外表面に接する位置に形成される外側角部は、図示されているように、Ｒ加工されてもよい（すなわち、丸くされてもよい）。他の実施形態では、下部周囲側壁４６は、代替形態として、窪んだ形状以外の形状で、弓状以外の形状にしてもよい。図示されている実施形態の上部周囲側壁４４は、面取りされた形である、つまり、図５にあるように、上部周囲側壁は、断面で見た場合、長手方向軸Ｌに対して角度を成して底部４２から上に向かって直線的に（すなわち、真っ直ぐに、非曲線状に）伸びる。いくつかの実施形態では、上部周囲側壁４４は、本発明の範囲から逸脱せずに、全体に凸状（すなわち、円形）にしてもよいし、凹状にしてもよいと理解できる。図示されている実施形態では、面取りされた上部周囲側壁４４が首部２２の上部２２ｂの外表面に接する位置に形成される周囲外側角部は、図示されているように、Ｒ加工されてもよく（すなわち、丸くされてもよい）、面取りされた上部周囲側壁が周囲底部４２に接する部分は、図示されているように、フィレット加工されてもよい。
【００１９】
図示されている実施形態では、溝４０は、下部周囲側壁４２の周囲外側角部と上部周囲側壁４４の周囲外側角部との間に広がる均一な幅Ｗ（図２）を有する。一実施形態では、溝４０の幅Ｗは、適切には、約１．０ｍｍ〜約５．０ｍｍであり、より適切には、約３．０ｍｍである。しかし、溝４０は、本発明の範囲から逸脱せずに、上述した以外の形状および／またはサイズにしてもよいと理解できる。
【００２０】
図４および図５からよくわかるように、図示されている実施形態では、溝４０全体は、肩部２４の上および雄ネジ２８の下に長手方向に離間されている。図５に示されているように、溝４０の下部周囲側壁４６（したがって、溝４０自体）は、肩部２４から（すなわち、上に）長手方向に間隔ｄ１だけ離間される。一実施形態の間隔ｄ１は、適切には、溝４０の幅Ｗより大きい、または幅Ｗに等しい。別の実施形態では、間隔ｄ１は、適切には、約１．０ｍｍ（０．０４インチ）より大きくてもよいし、別の実施形態では、適切には、約１．０ｍｍ（０．０４インチ）〜約２０ｍｍ（０．８０インチ）、さらに適切には、約５．０ｍｍ（０．２０インチ）〜約１０．０ｍｍ（０．４０インチ）にしてもよく、図示されている実施形態では、約８．１ｍｍ（０．３２インチ）である。さらに、溝４０の上部周囲側壁４４は、雄ネジ２８の一番下のネジ山から（すなわち、下に）長手方向に間隔ｄ２だけ離間される。間隔ｄ２は、一実施形態では、約１．０ｍｍより大きくてもよく、より適切には、約４．１ｍｍ（０．１６インチ）である。しかし、溝４０の長手方向位置は、本発明の範囲から逸脱せずに、上述した以外の位置にしてもよいと理解できる。
【００２１】
一実施形態では、ボトル１１は、一体部品として、例えば、モールディングによって形成されてもよく、キャップ３０は、別の一体部品として、例えば、モールディングによって形成されてもよい。ボトル１１およびキャップ３０はそれぞれ、ポリエチレン・テレフタレート（ＰＥＴＥ）、高密度ポリエチレン（ＨＤＰＥ）、低密度ポリエチレン（ＬＤＰＥ）、ポリ塩化ビニル（ＰＶＣ）、ポリプロピレン、ポリスチレン（ＰＳ）、ポリカーボネートなど（これらに限定されない）のプラスチックで形成されてもよい。しかし、ボトル包装容器１０は、他の適切な方法で、また他の適切な材料で形成されてもよいと理解できる。
【００２２】
図６を参照すると、図示されているボトル１１は、一例では、全体に符号４７で示されたチューブセットと組み合わせて、チューブセットのアダプタ４８をボトルのネジ付き首部２２に螺着することで使用することができる。首部２２は、半径方向突出リングの向かい側に溝４０を有するので、使用者がアダプタ４８をボトル１１に螺着する時にアダプタと突出部との間に指（１本または複数本）を挟んでしまうことがなくなる。チューブセット４７は、例えば、経腸栄養補給セットとしてもよい。アダプタ４８は、点滴チャンバ５０と流体連通され、点滴チャンバ５０は、適切なチューブ５２と流体連通される。アダプタ４８は、キャップ３０がボトル１１から取り外された後に、ボトル１１の雄ネジ２８とネジ接続するための１つまたは複数の雌ネジ５３を含む（図７）。アダプタ４８の最下縁４８ａがボトル１１に固定されると、溝４０の上部周囲側壁４４から間隔ｄ３だけ適切に離間されて、アダプタが溝のどの部分も覆わないようにする。一実施形態では、間隔ｄ３は、適切には、約０．０５ｍｍ（０．２インチ）より大きく、別の実施形態では、間隔ｄ３は、適切には、約１．０ｍｍ（０．０４インチ）〜約５．０ｍｍ（０．２インチ）であり、より適切には、約１．８ｍｍ（０．０７インチ）である。しかし、アダプタ４８は、本発明から逸脱せずに、ボトル１１に接続する時に、部分的または完全に溝４０を覆ってもよいと理解できる。
【００２３】
図７の長手方向断面図に示されるように、一実施形態では、アダプタ４８がボトル１１に螺着されると、アダプタの刃部材５４が封止クロージャ３６を開口して、アダプタ４８がボトルの内容物を点滴チャンバ５０および供給チューブ５２と流体連通させる。アダプタ４８は、通気孔５５と通気孔に取り付けられる微生物フィルタ５５ａとを含み、ボトルが逆さ位置の高い位置に掛けられると、ボトル１１の内部の空気を大気に放出して、ボトルの内容物が重力によって供給チューブ５２へと流れるようにする。他の実施形態では、アダプタ４８は、通気孔および／または微生物フィルタを含まない場合もあると考えられる。さらに、アダプタ４８を含めて、チューブセット４７は、本発明の範囲から逸脱せずに、上述した以外の形態にしてもよい。
【００２４】
図８および図９を参照すると、ボトルの内容部を投与するために、高い位置の逆さ位置でボトル１１を掛けるのに使用するのに適切なホルダの一実施形態は、全体に符号５６で示されている。ホルダ５６は、ボトル１１を収容できるサイズおよび形状のバッグの形である。ホルダ５６は、本発明の範囲から逸脱せずに、異なる形態にしてもよいと理解できる。バッグホルダ５６が、経腸栄養補給ポール、ＩＶポール、または他のポールのような高架支持体５７に掛けられると、ボトル１１は逆さ位置でバッグホルダ内に保持される。バッグホルダ５６は、開口最上部５８を有し、そこからボトル１１をバッグに挿入したり、バッグから取り外したりできる。バッグの底面５９は、開口部６０を有し、ボトル１１がバッグに収容されると、ボトルの首部２２の少なくとも一部が開口部から突き出る。ボトル１１の首部は半径方向突出リングの向かい側に溝４０を有するので、首部はバッグホルダ５６の開口部６０からより容易に引き出される。また、開口部６０は、ボトル包装容器１０の肩部２４が通ることができないサイズおよび形状である。バッグホルダ５６は、一般に、開口最上部５８に隣接する少なくとも１つ取付け口６４を有し、取付け口６４は、バッグが逆さ位置で高架支持体に掛けられるように、フック６６または高架支持体５７の他の取付け部品を収容するのに適した形である。ボトル１１、アダプタ４８、およびホルダ５６がまとまって、全体に符号６８で示された流動性製品送達アセンブリを形成する。
【００２５】
図示されている実施形態では、バッグホルダ５６は、例えば、熱溶接によって、対向する辺および底縁に沿って互いに固定されるが、上端は付着されない１組の対向パネルで形成される。対向パネルは、熱溶接可能なプラスチックパネルとしてもよい。開口部６０は、パネルの底縁まで伸びる。しかし、バッグホルダ５６の他の形成方法も本発明の範囲内である。
【００２６】
図１０に示されている実施形態では、ボトルの内容物を投与するために、高い位置の逆さ位置でボトル１１を掛けるのに使用する別のホルダが、全体に符号７０で示されている。ホルダ７０は、バックプレート７２と、バックプレートの下部から前方に伸びる下部支持部材７４と、バックプレートの上部から上方に伸びる上部ハンガー部材７６と、バックプレートの両側から前方に伸びる１組の離間対向アーム７８とを備える。アーム７８は、ボトル１１の本体２６がアーム間に挿入されてホルダ７０にボトルが取り外し可能に保持される時に、弾性的に外側に撓む構造である。ボトル１１を取り外し可能にホルダ７０で保持する他の方法も、本発明の範囲の範囲内である。ボトル１１がホルダ７０に固定されると、アダプタ４８は支持部材７４上に載置される。ハンガー部材７６は、ボトル１１を逆さ位置の高い位置で掛けるために支持体５７のフック６６が挿入される取付け口８２を含む。ホルダ７０は、１つの一体部品として、例えば、モールディングによって略硬質プラスチック材料で形成されてもよい。
【００２７】
図１１を参照すると、ボトル包装容器の別の実施形態が、全体に符号１１０で示されている。この第２の実施形態は、第１の実施形態と同様であり、同類の部品は対応する参照符号に１００を加えた符号で示されている。この実施形態の包装容器１１０のボトル１１１は、ネジ山を含まない。また、取り外し可能なキャップ１３０もネジ山を含まない。その代わりに、キャップ１３０は、固定部品１３２の内表面に係止部または戻り止め１３１を含む。戻り止め１３１は、環状戻り止め部材（図示されるような）のような１つの戻り止め部材を備えてもよいし、複数の戻り止め部材を備えてもよい。戻り止め１３１は、溝１４０と解放可能に係合して、ボトル１１１上でのキャップ１３０の相対運動を抑える構造である。図示されている実施形態では、戻り止め１３１は、十分な下向きの力がキャップ１３０に加えられると戻り止めが溝１４０内で係合または係止し、キャップに十分な上向きの力が加えられると戻り止めが溝から外れるまたは解放されるように、弾性的に撓むことができる。一実施形態では、戻り止め１３１と溝１４０とはスナップ式接続部を形成し、戻り止めが溝に係合すると、カチッという音やパチッという音がして、キャップ１３０がボトルに適切に接続されたことを使用者に示す目安となる。キャップ１３０、または少なくともキャップの一部（すなわち、スカート部）は、戻り止め１３１が溝１４０に収まって、キャップがボトルに適切に接続されていることを使用者または他の人が目で確認できるように透明にしてもよい。戻り止め１３１は、本発明の範囲から逸脱せずに、上述した以外の構造にしてもよいと理解できる。
【００２８】
図１２を参照すると、アダプタの別の実施形態が、全体に符号１４８で示されている。アダプタ１４８は、上述の実施形態のアダプタ４８（図６および図７）と同様であり、同類の部品は対応する参照符号に１００を加えた符号で示されている。アダプタ１４８は、図１１に示されているボトル１１１に取り外し可能に取り付けられる構造である。そのため、この実施形態のアダプタ１４８はネジ山を含まないが、その代わりに、内表面に、ボトル１１１の溝１４０内で係止または係合する構造の係止部または戻り止め１４９を含む。戻り止め１４９は、環状戻り止め部材（図示されるような）のような１つの戻り止め部材を備えてもよいし、複数の戻り止め部材を備えてもよい。戻り止め１４９の構造および機能は、キャップ１３０の戻り止め１３１と同様にしてもよい。より詳細には、戻り止め１４９は、十分な下向きの力がアダプタ１４８に加えられると戻り止めが溝１４０内で係合または係止し、アダプタに十分な上向きの力が加えられると戻り止めが首部１２２の溝１４０から外れるまたは解放されるように、弾性的に撓むことができるようにしてもよい。一実施形態では、戻り止め１４９と溝１４０とはスナップ式接続部を形成し、戻り止めが溝に係合すると、カチッという音やパチッという音がする。アダプタ１４８、または少なくともアダプタの一部（すなわち、スカート部）は、戻り止め１４９が溝１４０に収まって、アダプタがボトルに適切に接続されていることを使用者または他の人が目で確認できるように透明にしてもよい。他の実施形態の戻り止め１４９は、キャップ１３０の戻り止め１３１と異なる構造にしてもよい。
【００２９】
図１３を参照すると、ボトル包装容器の別の実施形態が、全体に符号２１０で示されている。この実施形態のボトル包装容器２１０は、図１から図７に示されている実施形態と同様であり、同類の部品は対応する参照符号に２００を加えた符号で示されている。これらの実施形態との１つの違いは、この実施形態のキャップ２３０がさらに、固定部材２３２の内表面に取り付けられる環状ガスケット２３１、例えば、Ｏリング（全体に、封止部材）を含むということである。ガスケット２３１は、キャップ２３０がボトル２１１に固定されるとボトル２１１の溝２４０に係合するサイズおよび形状である。ガスケット２３１は、弾性変形可能（例えば、弾性圧縮可能な）材料で形成されてもよく、キャップ２３０とは別個に形成されて、接着剤などによってキャップに固定されてもよい。キャップ２３０の内表面にガスケット２３１を形成および配設する他の方法も、本発明の範囲内にあると考えられる。
【００３０】
図１４は、全体が符号３１０で示されたボトル包装容器のさらに別の実施形態を示す図である。ボトル包装容器３１０は、図１から図７に示されている実施形態と同様であり、同類の部品は対応する参照符号に３００を加えた符号で示されている。この実施形態では、キャップ３３０は、固定部品３３２の内表面に係止部または戻り止め３３１を含む。戻り止め３３１は、環状戻り止め部材（図示されるような）のような１つの戻り止め部材を備えてもよいし、複数の戻り止め部材を備えてもよい。戻り止め３３１は、首部３２２の溝３４０で解放可能に係止または係合して、ボトル包装容器３１０上でのキャップクロージャ３３０の相対運動を抑える構造である。図示されている実施形態では、戻り止め３３１は、十分な下向きの力がキャップクロージャ３３０に加えられると戻り止めが溝３４０内で係合または係止し、キャップクロージャに十分な上向きの力が加えられると戻り止めが溝３４０から外れるまたは解放されるように、弾性的に撓むことができる。一実施形態では、戻り止め３３１と溝３４０とはスナップ式接続部を形成し、戻り止めが溝に係合すると、カチッという音やパチッという音がして、キャップがボトルに適切に接続されたことを使用者に示す目安となる。
【００３１】
本発明の範囲から逸脱せずに、上述の構造および方法に種々の変更を加えることも可能であるので、上述の説明に含まれ、添付図面に示されている全ての内容は、一例に過ぎず、限定的でないと解釈すべきものとする。
【００３２】
本発明の要素または本発明の好適な実施形態（複数可）を説明する際に、冠詞「１つの」「その」「前記」は、１つまたは複数の要素があることを意味するものとする。用語「備える」「含む」「有する」は、包括的な意味であり、列挙した要素以外の追加の要素が存在する場合があることを意味するものとする。
【図１】
2013523551.tif 000003
【図２】
2013523551.tif 000004
【図３】
2013523551.tif 000005
【図４】
2013523551.tif 000006
【図５】
2013523551.tif 000007
【図６】
2013523551.tif 000008
【図７】
2013523551.tif 000009
【図８】
2013523551.tif 000010
【図９】
2013523551.tif 000011
【図１０】
2013523551.tif 000012
【図１１】
2013523551.tif 000013
【図１２】
2013523551.tif 000014
【図１３】
2013523551.tif 000015
【図１４】
2013523551.tif 000016
【手続補正書】
【提出日】平成24年2月7日(2012.2.7)
【手続補正１】
【補正対象書類名】特許請求の範囲
【補正対象項目名】全文
【補正方法】変更
【補正の内容】
【特許請求の範囲】
【請求項１】
上端および閉鎖下端を有する本体と、全体に本体の上端に配置される肩部と、肩部から上に伸びてボトルの開口最上部を画定する首部とを備えるボトルであり、首部は、内表面と、外表面と、首部の外表面にある溝であって、首部のほぼ全周囲にわたって周方向に伸びてボトルの肩部とボトルの開口最上部との間に長手方向に配置される溝とを有し、前記溝は上方域と下方域とを有し、上方域と下方域との間に所定の幅が広がり、溝の下方域は、溝幅より広いまたは溝幅と同じ間隔だけボトルの肩部から長手方向に離間されるボトルであって、首部は、溝の下方域からボトルの肩部に伸びる下部と、ボトルの開口最上部から溝の上方域に伸びる上部とを含み、首部の上部および下部はそれぞれ外側断面寸法を有し、上部の外側断面寸法は下部の外側断面寸法にほぼ等しいボトルと、
ボトルの開口最上部を閉鎖するために、解放可能にボトルの首部に接続可能なクロージャ部材と
ボトルの開口最上部とクロージャ部材との間に配置される穴あけ可能な封止クロージャと、
ボトルの内容物を送達する構造で、封止クロージャに穴を開けるための穴あけ部材を備える送達アセンブリと
を備えるボトル包装容器。
【請求項２】
溝の下方域が、４．０ｍｍから１０．０ｍｍの間隔だけボトルの肩部から長手方向に離間される、請求項１に記載のボトル包装容器。
【請求項３】
クロージャ部材およびボトルの首部が、クロージャ部材がボトルの首部にネジ接続される構造である、請求項１に記載のボトル包装容器。
【請求項４】
送達アセンブリが、アダプタおよびアダプタと組み合わされるチューブとをさらに備え、アダプタはボトル包装容器のクロージャ部材がボトルから取り外された状態で供給チューブアセンブリをボトルに解放可能に接続するための送達アセンブリのクロージャ部材を画定し、送達アセンブリのアダプタは下縁を有し、アダプタの下縁は、アダプタがボトルに接続された時に、溝の上方域とボトルの最上部との間で前記上方域から長手方向に離間される送達アセンブリと組み合わせられる、請求項１に記載のボトル包装容器。
【請求項５】
アダプタの下縁が、アダプタがボトルに接続された時に、少なくとも０．５ｍｍの間隔だけ溝の上方域から長手方向に離間される、請求項４に記載のボトル包装容器。
【請求項６】
クロージャ部材が、内表面に、ボトルの首部の溝に取り外し可能に係合される封止部材を含む、請求項１に記載のボトル包装容器。
【請求項７】
上端および閉鎖下端を有する本体と、全体に本体の上端に配置される肩部と、肩部から上に伸びてボトルの開口最上部を画定する首部とを備えるボトルであって、首部は、内表面と、外表面と、首部の外表面にある溝で、首部のほぼ全周囲にわたって周方向に伸びてボトルの肩部とボトルの開口最上部との間に長手方向に配置される溝とを有し、溝は、周囲底部と、対向する上部周囲側壁および下部周囲側壁とによって画定され、上部周囲側壁は首部の隣接する外表面から周囲底部に向かって面取りされ、下部周囲側壁は首部の隣接する外表面から周囲底部に向かって窪んでおり、下部周囲側壁は少なくとも１．０ｍｍの間隔だけ肩部から上に長手方向に離間されるボトルと、
ボトルの開口最上部を閉鎖するために、解放可能にボトルの首部に接続可能なクロージャ部材と
ボトルの開口最上部とクロージャ部材との間に配置される穴あけ可能な封止クロージャと、
ボトルの内容物を送達する構造で、封止クロージャに穴を開けるための穴あけ部材を備える送達アセンブリと
を備えるボトル包装容器。
【請求項８】
溝の下方域が、５．０ｍｍから１０．０ｍｍの間隔だけボトルの肩部から長手方向に離間される、請求項７に記載のボトル包装容器。
【請求項９】
首部が、溝の下方域からボトルの肩部に伸びる下部と、ボトルの開口最上部から溝の上方域に伸びる上部とを含み、首部の上部および下部はそれぞれ外側断面寸法を有し、上部の外側断面寸法は下部の外側断面寸法にほぼ等しい、請求項７に記載のボトル包装容器。
【請求項１０】
クロージャ部材およびボトルの首部が、クロージャ部材がボトルの首部にネジ接続される構造である、請求項７に記載のボトル包装容器。
【請求項１１】
送達アセンブリが、アダプタおよびアダプタと組み合わされるチューブとをさらに備え、アダプタはボトル包装容器のクロージャ部材がボトルから取り外された状態で供給チューブアセンブリをボトルに解放可能に接続するための送達アセンブリのクロージャ部材を画定し、送達アセンブリのアダプタは下縁を有し、アダプタの下縁は、アダプタがボトルに接続された時に、溝の上方域とボトルの最上部との間で前記上方域から長手方向に離間される送達アセンブリと組み合わせられる、請求項７に記載のボトル包装容器。
【請求項１２】
アダプタの下縁が、アダプタがボトルに接続された時に、少なくとも０．５ｍｍの間隔だけ溝の上方域から長手方向に離間される、請求項１１に記載のボトル包装容器。
【請求項１３】
クロージャ部材が、内表面に、ボトルの首部の溝に取り外し可能に係合される戻り止めを含む、請求項７に記載のボトル包装容器。
【請求項１４】
ボトルの首部にはネジ山がない、請求項１３に記載のボトル包装容器。
【請求項１５】
上端および閉鎖下端を有する本体と、全体に本体の上端に配置される肩部と、肩部から上に伸びてボトルの開口最上部を画定する首部とを備えるボトルであって、首部は、内表面と、外表面と、首部の外表面にある少なくとも１つのネジ山と、首部の外表面にある溝で、首部のほぼ全周囲にわたって周方向に伸び、ボトルの肩部と首部の外表面の少なくとも１つのネジ山との間に長手方向に配置される溝とを有するボトルと、
ボトルの開口最上部を閉鎖するために、ボトルの首部の外表面の前記少なくとも１つのネジ山に取り外し可能に螺着されるクロージャ部材であって、ボトルの首部の溝内に取り外し可能に係合される、戻り止めおよび／または封止部材を含むクロージャ部材と
ボトルの開口最上部とクロージャ部材との間に配置される穴あけ可能な封止クロージャと、
ボトルの内容物を送達する構造で、封止クロージャに穴を開けるための穴あけ部材を備える送達アセンブリと
を備えるボトル包装容器。
【国際調査報告】
2013523551.tif 000017
2013523551.tif 000018
2013523551.tif 000019